(57)【要約】  【課題】  放熱の範囲、気流の集中、エアによる騒音、全体的な放熱効率および組立における設計の自由度を高めることができる放熱ファンの風排出口の気流導引構造を提供する。  【解決手段】  框体の風排出口には基座、複数個のリブおよび少なくとも一個の気流導引リングが設けられる。基座はファンホイールを載置するのに用いられ、ファンホイールには複数個の羽根が形成される。複数個のリブは半径方向で框体と基座の間に連接される。少なくとも一個の気流導引リングはリブに固設され、気流導引リングが風排出口側における軸方向の長さは半径方向の幅より大きくなるように形成されることにより、ファンホイールが回転した時、気流導引リングにより気流を区分したり、気流を集中したり、さらに気流の流動方向を導引したりする。【選択図】    図１
2005076590.tif 000002
【特許請求の範囲】
【請求項１】
放熱ファンの框体（１０）の風排出口（１２）には基座（１３）、複数個のリブ（１４）および少なくとも一個の気流導引リング（１５）が設けられ、基座（１３）はファンホイール（２０）を載置するのに用いられ、ファンホイール（２０）には複数個の羽根（２１）が形成され、複数個のリブ（１４）は半径方向で框体（１０）と基座（１３）の間に連接され、少なくとも一個の気流導引リング（１５）はリブ（１４）に固設され、気流導引リング（１５）が風排出口（１２）側における軸方向の長さは半径方向の幅より大きくなるように形成されることにより、ファンホイール（２０）が回転した時、気流導引リング（１５）により気流を区分したり、気流を集中したり、さらに気流の流動方向を導引したりするのに用いられることができることを特徴とする放熱ファンの風排出口の気流導引構造。
【請求項２】
気流導引リング（１５）は放熱ファンの風排出口（１２）の軸方向とは平行になるように形成されることを特徴とする請求項１記載の放熱ファンの風排出口の気流導引構造。
【請求項３】
気流導引リング（１５）は放熱ファンの風排出口（１２）の軸方向に相対して外径方向へ傾斜するように形成されることを特徴とする請求項１記載の放熱ファンの風排出口の気流導引構造。
【請求項４】
気流導引リング（１５）は放熱ファンの風排出口（１２）の軸方向に相対して内径方向へ傾斜するように形成されることを特徴とする請求項１記載の放熱ファンの風排出口の気流導引構造。
【請求項５】
気流導引リング（１５’）は放熱ファンの風排出口（１２）の軸方向に相対して同時に外径方向と内径方向へ傾斜するように形成され、すなわち気流導引リング（１５’）の断面は三角形になるように形成されることを特徴とする請求項１記載の放熱ファンの風排出口の気流導引構造。
【請求項６】
リブ（１４）はファンホイール（２０）の羽根（２１）の送風方向に沿って傾斜するように形成されることを特徴とする請求項１記載の放熱ファンの風排出口の気流導引構造。
【請求項７】
リブ（１４）は気流導引リング（１５）の内側と外側においてそれぞれ異なる傾斜角度になるように形成されることを特徴とする請求項６記載の放熱ファンの風排出口の気流導引構造。
【請求項８】
気流導引リング（１５）の風進入口（１１）に近い上端には円弧状の気流導引部（１５１）が形成されることを特徴とする請求項１記載の放熱ファンの風排出口の気流導引構造。
【発明の詳細な説明】
【技術分野】
【０００１】
本発明は、放熱ファンの風排出口の気流導引構造に関するもので、特に放熱ファンの風排出口には少なくとも一個の気流導引リングが形成され、気流導引リングにより気流の流動方向と風圧を増やすことができる放熱ファンの風排出口の気流導引構造に係るものである。
【背景技術】
【０００２】
従来の放熱ファンの框体構造としては、図１４を参照するように、框体１０、風進入口１１、風排出口１２、基座１３および複数個のリブ１４が含まれる。框体１０の両側には風進入口１１と風排出口１２が形成される。基座１３はリブ１４により框体１０の風排出口１２に固く形成され、基座１３にステータ（図示せず）を固設してファンホイール（図示せず）を結合することができる。これにより、ファンホイールが回転した時、放熱ファンは気流を風進入口１１から吸入し、そして風排出口１２から排出することにより、放熱しようとする物件（例えば、放熱フィンまたは中央処理器）に対して放熱を行うことができるようにとしたものがある。
【０００３】
また、従来の放熱ファンの框体構造としては、框体、複数個の軸方向のフィンおよび複数個の軸方向の開口部が含まれる。框体には風進入口と風排出口が設けられ、框体にステータとローターを収容することができ、複数個の軸方向のフィンは框体の風進入口側から垂直に延伸してなるもので、複数個の軸方向の開口部は軸方向のフィンの間に形成される。ローターが回転すると、ローターの複数個の羽根は風進入口と軸方向の開口部から同時に流動方向の一致した気流を吸入することにより、風進入量を増やすと共に、騒音の音量を抑えることができるようにとしたものがある（例えば、特許文献１を参照）。
【特許文献１】中華民国公告番号第５４５８７４号
【発明の開示】
【発明が解決しようとする課題】
【０００４】
上記のような従来の放熱ファンの框体構造においては、放熱の功能を有しているが、上記放熱ファンの気流は通常としてただ框体１０の軸方向に沿って風排出口１２を経て勢いよく排出することにより、風排出口１２の真下方の位置に対して放熱を行うだけである。しかし、放熱しようとする物件が風排出口１２の真下方の位置に位置することができない場合、上記放熱しようとする物件は多数の放熱気流を接収することができないため、放熱が不均一になって実際の放熱の効率に影響を与えてしまうという問題点があった。また、上記放熱しようとする物件が限られて組立ての空間（例えばノートパソコン）により基座１３の真下方または風排出口１２の外径の範囲に結合できない場合、或いは上記放熱しようとする物件は比較的大きいサイズを有するため、完全に放熱ファンの真下方に位置することができない場合、実際の放熱の効率に大きく影響を与えてしまうという問題点があった。さらに、気流がリブ１４を通過した時、乱流になり易くなると共に、騒音が生じて放熱の効率を下げてしまうという問題点があった。
【０００５】
また、上記のような従来の放熱ファンの框体構造においては、上記同様に放熱の功能を有しているが、放熱しようとする物件が風排出口の真下方の位置に位置することができない場合、上記放熱しようとする物件は多数の放熱気流を接収することができないため、放熱が不均一になって実際の放熱の効率に影響を与えてしまうという問題点があった。このように、上記のような従来のゴルフクラブヘッドと重りの結合構造をさらに改良しなければならない。
【０００６】
本発明はこのような問題点に鑑みて発明したものであって、その目的とするところは、放熱ファンの風排出口には少なくとも一個の気流導引リングが形成される。上記気流導引リングは上記風排出口の複数個のリブに形成され、上記気流導引リングは放熱ファンの風排出口の軸方向に相対して外径方向または内径方向へ傾斜するように形成されることにより、気流を区分することができると共に、気流を集中することができ、或いは気流をいかなる放熱しようとする位置に導引することができ、さらに風圧を相対的に増やすことができるため、放熱の範囲、気流の集中、エアによる騒音、全体的な放熱効率および組立における設計の自由度を高めることができる放熱ファンの風排出口の気流導引構造を提供しようとするものである。
【０００７】
本発明の第一の目的は、放熱ファンの風排出口には少なくとも一個の気流導引リングが形成され、上記気流導引リングにより風排出口の気流を区分することができるため、気流を集中したり導引したりすることができると共に、風圧を増やしたりエアによる騒音を減らしたり、さらに全体的な放熱効率を高めたりすることができる放熱ファンの風排出口の気流導引構造を提供しようとするものである。
【０００８】
本発明の第二の目的は、放熱ファンの風排出口には少なくとも一個の気流導引リングが形成され、上記気流導引リングは放熱ファンの風排出口の軸方向に相対して傾斜するように形成されるため、気流を導引したり風圧を増やしたりエアによる騒音を減らしたり、さらに全体的な放熱効率を高めたりすることができる放熱ファンの風排出口の気流導引構造を提供しようとするものである。
【０００９】
本発明の第三の目的は、放熱ファンの風排出口には少なくとも一個の気流導引リングが形成され、上記気流導引リングの傾斜方向を変えることにより、気流をいかなる放熱しようとする位置に導引して放熱を集中したり放熱の範囲を拡大したりすることができるため、全体的な放熱効率および組立における設計の自由度を高めることができる放熱ファンの風排出口の気流導引構造を提供しようとするものである。
【課題を解決するための手段】
【００１０】
上記目的を達成するために、本発明による放熱ファンの風排出口の気流導引構造は、下記のようになるものである。すなわち、
放熱ファンの框体の風排出口には基座、複数個のリブおよび少なくとも一個の気流導引リングが設けられる。基座はファンホイールを載置するのに用いられ、ファンホイールには複数個の羽根が形成される。複数個のリブは半径方向で框体と基座の間に連接される。少なくとも一個の気流導引リングはリブに固設され、気流導引リングが風排出口側における軸方向の長さは半径方向の幅より大きくなるように形成されることにより、ファンホイールが回転した時、気流導引リングにより気流を区分したり、気流を集中したり、さらに気流の流動方向を導引したりするのに用いられることができる。
【００１１】
本発明による放熱ファンの風排出口の気流導引構造は、気流導引リングは放熱ファンの風排出口の軸方向とは平行になるように形成されることもできる。また、気流導引リングは放熱ファンの風排出口の軸方向に相対して外径方向へ傾斜するように形成されることもできる。また、気流導引リングは放熱ファンの風排出口の軸方向に相対して内径方向へ傾斜するように形成されることもできる。また、気流導引リングは放熱ファンの風排出口の軸方向に相対して同時に外径方向と内径方向へ傾斜するように形成され、すなわち気流導引リングの断面は三角形になるように形成されることもできる。また、リブはファンホイールの羽根の送風方向に沿って傾斜するように形成されることもできる。また、リブは気流導引リングの内側と外側においてそれぞれ異なる傾斜角度になるように形成されることもできる。また、気流導引リングの風進入口に近い上端には円弧状の気流導引部が形成されることもできる。
【発明の効果】
【００１２】
本発明の放熱ファンの風排出口の気流導引構造によれば、放熱ファンの風排出口には少なくとも一個の気流導引リングが形成され、上記気流導引リングにより風排出口の気流を区分することができるため、気流を集中したり導引したりすることができると共に、風圧を増やしたりエアによる騒音を減らしたり、さらに全体的な放熱効率を高めたりすることができるという利点がある。
【００１３】
本発明の放熱ファンの風排出口の気流導引構造によれば、放熱ファンの風排出口には少なくとも一個の気流導引リングが形成され、上記気流導引リングは放熱ファンの風排出口の軸方向に相対して傾斜するように形成されるため、気流を導引したり風圧を増やしたりエアによる騒音を減らしたり、さらに全体的な放熱効率を高めたりすることができるという利点がある。
【００１４】
本発明の放熱ファンの風排出口の気流導引構造によれば、放熱ファンの風排出口には少なくとも一個の気流導引リングが形成され、上記気流導引リングの傾斜方向を変えることにより、気流をいかなる放熱しようとする位置に導引して放熱を集中したり放熱の範囲を拡大したりすることができるため、全体的な放熱効率および組立における設計の自由度を高めることができるという利点がある。
【発明を実施するための最良の形態】
【００１５】
本発明の実施の形態について、以下、図面を参照して説明する。
【００１６】
図１は本発明の実施例１の放熱ファンの風排出口の気流導引構造による斜視図で、図２は本発明の実施例１の放熱ファンの風排出口の気流導引構造による平面図で、図３Ａは図２のＡ−Ａ線に沿った断面図で、図３Ｂは図３Ａの局部拡大図で、図４は本発明の実施例２の放熱ファンの風排出口の気流導引構造による斜視図で、図５は本発明の実施例２の放熱ファンの風排出口の気流導引構造による平面図で、図６は図５のＢ−Ｂ線に沿った断面図で、図７は本発明の実施例３の放熱ファンの風排出口の気流導引構造による断面図で、図８は本発明の実施例４の放熱ファンの風排出口の気流導引構造による断面図で、図９は本発明の実施例５の放熱ファンの風排出口の気流導引構造による斜視図で、図１０は本発明の実施例５の放熱ファンの風排出口の気流導引構造による平面図で、図１１は図１０のＣ−Ｃ線に沿った断面図で、図１２は本発明の実施例６の放熱ファンの風排出口の気流導引構造による断面図で、図１３は本発明の実施例７の放熱ファンの風排出口の気流導引構造による断面図である。
【００１７】
本発明の放熱ファンの風排出口の気流導引構造の一部分の部材は図１４に示す従来の放熱ファンの風排出口の気流導引構造と同じであり、両者の同じ部分の部材は同じ符号を採用して標示されているため、その構造および功能については再び詳細に説明しない。
【実施例１】
【００１８】
図１、２、３Ａ、３Ｂを参照すると、本発明の実施例１の放熱ファンの風排出口の気流導引構造には框体１０、風進入口１１、風排出口１２、基座１３、複数個のリブ１４および気流導引リング１５が含まれる。框体１０はプラスチックまたは金属から製成することができる。風進入口１１と風排出口１２はそれぞれ框体１０の両側に形成される。基座１３は框体１０の風排出口１２に位置され、ファンホイール２０（図３Ａを參照）を収容することができる。リブ１４は輻射状かつ同心で排列するように框体１０と基座１３の間に連接される。気流導引リング１５はリブ１４に環設されると共に、基座１３と風排出口１２の間に介在するように形成される。気流導引リング１５は放熱ファンの風排出口１２の軸方向とは平行になるように形成される。図３Ｂに示すように、気流導引リング１５の風排出口１２側における軸方向の長さＬは好ましくは半径方向の幅Ｗより大きくなるように形成され、さらに気流導引リング１５の風進入口１１側に近い上端には円弧状の気流導引部１５１が形成されるため、乱流が生じるのを減らすことができる。また、リブ１４もファンホイール２０の複数個の羽根２１の送風方向に沿って傾斜するように形成することができる。
【００１９】
図３Ａを参照すると、本発明の実施例１の放熱ファンの風排出口の気流導引構造の作動図が掲示される。ファンホイール２０が回転すると、ファンホイール２０の羽根２１は框体１０の風進入口１１から気流を吸入し、そして上記気流を風排出口１２から排出することにより、放熱しようとする物件（図示せず、例えば放熱フィンまたは中央処理器）に対して放熱を行うことができる。上記気流が風排出口１２の気流導引リング１５とリブ１４を通過した時、気流導引リング１５により風排出口１２を流れた気流を内、外二つの気流に区分することができるため、上記気流を風排出口１２の中心に近い位置まで導引したり、或いは風排出口１２の外径に近い範囲まで導引したりすることができる。これにより、放熱ファンは特定の位置に対して集中的に放熱を行うことができ、或いは限られた組立の空間（例えばノートパソコンの内部）において気流を風排出口１２の真下方に位置していない放熱しようとする物件まで導引することができる。そのために、本発明の気流導引リング１５は確かに気流を導引する効果を有している。
【００２０】
また、図１に示すように、リブ１４が例えばファンホイール２０の羽根２１の送風方向に沿って傾斜するように形成された場合、リブ１４も気流を導引する効果を有している。また、気流導引リング１５の内、外側に位置するリブ１４は使用上の需要性に応じて異なる傾斜角度を有するように形成されることもできる。
【実施例２】
【００２１】
図４、５、６を参照すると、本発明の実施例２の放熱ファンの風排出口の気流導引構造には框体１０、風進入口１１、風排出口１２、基座１３、複数個のリブ１４および気流導引リング１５が含まれる。框体１０はプラスチックまたは金属から製成することができる。風進入口１１と風排出口１２はそれぞれ框体１０の両側に形成される。基座１３は框体１０の風排出口１２に位置され、ファンホイール２０（図６を參照）を収容することができる。リブ１４は輻射状かつ同心で排列するように框体１０と基座１３の間に連接される。気流導引リング１５はリブ１４に環設されると共に、基座１３と風排出口１２の間に介在するように形成され、さらに気流導引リング１５は放熱ファンの風排出口１２の軸方向に相対して外径方向へ傾斜するように形成される。また、リブ１４もファンホイール２０の複数個の羽根２１の送風方向に沿って傾斜するように形成することができる。
【００２２】
図６を参照すると、本発明の実施例２の放熱ファンの風排出口の気流導引構造の作動図が掲示される。ファンホイール２０が回転すると、ファンホイール２０の羽根２１は框体１０の風進入口１１から気流を吸入し、そして上記気流を風排出口１２から排出することにより、放熱しようとする物件（図示せず、例えば放熱フィンまたは中央処理器）に対して放熱を行うことができる。上記気流が風排出口１２の気流導引リング１５とリブ１４を通過した時、気流導引リング１５が風排出口１２の軸方向に相対して外径方向へ傾斜するように形成されるため、上記気流を風排出口１２の外径の範囲まで導引することができる。これにより、放熱ファンは放熱の範囲を拡大することができ、或いは限られた組立の空間（例えばノートパソコンの内部）において気流を風排出口１２の真下方に位置していない放熱しようとする物件まで導引することができ、或いは比較的大きいサイズを有した放熱しようとする物件に対して比較的均一な放熱を行うことができる。そのために、本発明の気流導引リング１５は確かに気流を導引する効果を有している。
【００２３】
図６に示すように、気流導引リング１５の傾斜方向に沿って気流導引リング１５は風排出側の断面積を相対的に縮小することができるため、気流導引リング１５により風圧を増やすことができる。また、風排出口１２の外径の範囲に近い気流は気流導引リング１５の外径方向の傾斜により風圧を増やすことができることにより、風排出口１２の中心に近い気流が半径方向へ外へ向かって流動するのを促すことができるため、気流の流動の効率を増やすことができる。
【００２４】
また、図４に示すように、リブ１４がファンホイール２０の羽根２１の送風方向に沿って傾斜するように形成された場合、リブ１４も気流を導引する効果を有している。また、気流導引リング１５の内、外側に位置するリブ１４は使用上の需要性に応じて異なる傾斜角度を有するように形成されることもできる。
【実施例３】
【００２５】
図７を参照すると、本発明の実施例３の放熱ファンの風排出口の気流導引構造が掲示される。実施例１、２と比較して、実施例３において気流導引リング１５は風排出口１２の軸方向に相対して内径方向へ傾斜するように形成されることにより、気流導引リング１５により上記気流を風排出口１２の基座１３の真下方まで導引することができるため、基座１３の真下方における放熱しようとする物件の放熱の効率を相対的に増やすことができる。また、気流導引リング１５の傾斜方向に沿って気流導引リング１５は風排出側の断面積を相対的に縮小することができるため、気流導引リング１５により風圧を増やすことができる。また、風排出口１２の中心に近い気流は気流導引リング１５の内径方向の傾斜により風圧を増やすことができることにより、風排出口１２の外径の範囲の気流が半径方向へ内へ向かって流動するのを促すことができるため、気流を集中して放熱を行うことができる。
【実施例４】
【００２６】
図８を参照すると、本発明の実施例４の放熱ファンの風排出口の気流導引構造が掲示される。実施例１、２、３と比較して、実施例４において気流導引リング１５’は風排出口１２の軸方向に相対して同時に外径方向と内径方向へ傾斜するように形成され、すなわち気流導引リング１５”の断面は三角形になるように形成される。これにより、気流導引リング１５’により上記気流を同時に風排出口１２の外径の範囲と基座１３の真下方まで導引することができるため、放熱の範囲を拡大することができると共に、基座１３の真下方における放熱しようとする物件の放熱の効率を相対的に増やすことができる。また、気流導引リング１５’の傾斜方向に沿って気流導引リング１５’は風排出側の断面積を相対的に縮小することができるため、気流導引リング１５’により風圧を増やすことができる。
【実施例５】
【００２７】
図９、１０、１１を参照すると、本発明の実施例５の放熱ファンの風排出口の気流導引構造が掲示される。実施例１、２、３、４と比較して、実施例５においてリブ１４には第一気流導引リング１５ａと第二気流導引リング１５ｂが設けられ、第二気流導引リング１５ａは第二気流導引リング１５ｂの内側に位置するように形成される。第一気流導引リング１５ａは風排出口１２の軸方向に相対して外径方向へ傾斜するように形成されるのに対し、第二気流導引リング１５ｂは風排出口１２の軸方向に相対して内径方向へ傾斜するように形成される。これにより、第一、第二気流導引リング１５ａ、１５ｂにより気流を第一、第二気流導引リング１５ａ、１５ｂの間の真下方まで導引することができるため、放熱の気流を集中することができると共に、上記位置の真下方における放熱しようとする物件の放熱の効率を相対的に増やすことができる。さらに、第一、第二気流導引リング１５ａ、１５ｂの傾斜方向に沿って風排出側の断面積を相対的に縮小することができるため、第一、第二気流導引リング１５ａ、１５ｂにより風圧を増やすことができる。さらに、第一、第二気流導引リング１５ａ、１５ｂの間の気流がすでに風圧を増やしたことにより、風排出口１２の最大な外径範囲と最小な内径範囲に近い気流が第一、第二気流導引リング１５ａ、１５ｂの間の真下方へ流動するのを促すことができるため、気流を集中して放熱を行うことができる。
【実施例６】
【００２８】
図１２を参照すると、本発明の実施例６の放熱ファンの風排出口の気流導引構造が掲示される。実施例５と比較して、実施例６において第一気流導引リング１５ａは風排出口１２の軸方向に相対して内径方向へ傾斜するように形成されるのに対し、第二気流導引リング１５ｂは風排出口１２の軸方向に相対して外径方向へ傾斜するように形成される。これにより、第一、第二気流導引リング１５ａ、１５ｂにより気流を基座１３の真下方と風排出口１２の外径の範囲まで導引することができる。これにより、放熱ファンは放熱の範囲を拡大することができ、或いは限られた組立の空間において気流を風排出口１２の真下方に位置していない放熱しようとする物件まで導引することができ、或いは比較的大きいサイズを有した放熱しようとする物件に対して比較的均一な放熱を行うことができる。そのために、本発明の第一、第二気流導引リング１５ａ、１５ｂは確かに気流を導引する効果を有している。さらに、第一、第二気流導引リング１５ａ、１５ｂの傾斜方向に沿って風排出側の断面積を相対的に縮小することができるため、第一、第二気流導引リング１５ａ、１５ｂにより風圧を増やすことができる。さらに、基座１３の真下方へ向かって流動する気流と風排出口１２の外径の範囲へ向かって流動する気流がすでに風圧を増やしたことにより、第一、第二気流導引リング１５ａ、１５ｂの間の気流が基座１３の真下方または風排出口１２の外径の範囲へ向かって流動するのを促すことができるため、気流を集中して放熱を行うことができる。
【実施例７】
【００２９】
図１３を参照すると、本発明の実施例７の放熱ファンの風排出口の気流導引構造が掲示される。実施例５、６と比較して、実施例７において第一、第二気流導引リング１５ａ、１５ｂは同時に外径方向と内径方向へ傾斜するように形成され、すなわち第一、第二気流導引リング１５ａ、１５ｂの断面は三角形になるように形成される。これにより、第一、第二気流導引リング１５ａ、１５ｂにより気流を同時に風排出口１２の外径の範囲、基座１３の真下方および第一、第二気流導引リング１５ａ、１５ｂの間まで導引することができるため、放熱の範囲を拡大することができる。さらに、第一、第二気流導引リング１５ａ、１５ｂの傾斜方向に沿って第一、第二気流導引リング１５ａ、１５ｂは風排出側の断面積を相対的に縮小することができるため、上記三区間の風圧を増やすことができる。
【００３０】
その他に、図１から図１３を参照すると、本発明においては少なくとも一個の気流導引リング１５により気流を導引することができ、そして気流導引リング１５の数量、傾斜方向と傾斜角度の大きさはファンホイール２０の羽根２１と放熱しようとする物件（例えば放熱フィン）のサイズ、設置の位置、形状と放熱の需要性により変化を行うことができるため、組立と設計の自由度を相対的に増やすことができる。
【産業上の利用可能性】
【００３１】
上述の如く、図１４に示す従来の放熱ファンの框体構造によれば、風排出口において乱流が生じ易いため、気流の流動方向を導引することができず、さらに風圧を増やすことができないという問題点があったが、図１に示す本発明の放熱ファンの風排出口の気流導引構造によれば、框体の風排出口には少なくとも一個の気流導引リングが形成されることにより、本発明においては気流を区分することができると共に、気流を集中することができ、また気流をいかなる放熱しようとする位置に導引することができ、さらに風圧を相対的に増やすことができるため、放熱の範囲、気流の集中、エアによる騒音、全体的な放熱効率および組立における設計の自由度を高めることができる。
【００３２】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００３３】
【図１】本発明の実施例１の放熱ファンの風排出口の気流導引構造による斜視図である。
【図２】本発明の実施例１の放熱ファンの風排出口の気流導引構造による平面図である。
【図３Ａ】図２のＡ−Ａ線に沿った断面図である。
【図３Ｂ】図３Ａの局部拡大図である。
【図４】本発明の実施例２の放熱ファンの風排出口の気流導引構造による斜視図である。
【図５】本発明の実施例２の放熱ファンの風排出口の気流導引構造による平面図である。
【図６】図５のＢ−Ｂ線に沿った断面図である。
【図７】本発明の実施例３の放熱ファンの風排出口の気流導引構造による断面図である。
【図８】本発明の実施例４の放熱ファンの風排出口の気流導引構造による断面図である。
【図９】本発明の実施例５の放熱ファンの風排出口の気流導引構造による斜視図である。
【図１０】本発明の実施例５の放熱ファンの風排出口の気流導引構造による平面図である。
【図１１】図１０のＣ−Ｃ線に沿った断面図である。
【図１２】本発明の実施例６の放熱ファンの風排出口の気流導引構造による断面図である。
【図１３】本発明の実施例７の放熱ファンの風排出口の気流導引構造による断面図である。
【図１４】従来の放熱ファンの框体構造の斜視図である。
【符号の説明】
【００３４】
１０    框体                        １１    風進入口
１２    風排出口                    １３    基座
１４    リブ                        １５    気流導引リング
１５’    気流導引リング            １５１    気流導引部
１５ａ    第一気流導引リング        １５ｂ    第二気流導引リング
１５ａ’  第一気流導引リング        １５ｂ’    第二気流導引リング
２０    ファンホイール              ２１    羽根
【図１】
2005076590.tif 000003
【図２】
2005076590.tif 000004
【図３Ａ】
2005076590.tif 000005
【図３Ｂ】
2005076590.tif 000006
【図４】
2005076590.tif 000007
【図５】
2005076590.tif 000008
【図６】
2005076590.tif 000009
【図７】
2005076590.tif 000010
【図８】
2005076590.tif 000011
【図９】
2005076590.tif 000012
【図１０】
2005076590.tif 000013
【図１１】
2005076590.tif 000014
【図１２】
2005076590.tif 000015
【図１３】
2005076590.tif 000016
【図１４】
2005076590.tif 000017